(57)【要約】【課題】機器の点検作業において、点検作業終了後に機器の漏洩確認や試運転等を実施する場合に、作業票の仮返却手続に多大な時間を要すると共に、聞き違いが発生するなどの課題があった。【解決手段】点検作業終了後に点検機器の復旧確認又は試運転等の確認作業を実施する場合に、作業担当者が点検作業終了時に確認作業内容を記載した仮返却票２０を作成して該仮返却票２０と共に点検作業に使用した作業票１０をプラント運転者に仮返却し、作業担当者はプラント運転者から作業用仮返却票２０を受け取って該作業用仮返却票２０に基づいて確認作業を行い、確認作業終了時に作業用仮返却票２０をプラント運転者に返却して点検作業を完了するようにしてある。【選択図】図１
2008265037.tif 000002
【特許請求の範囲】
【請求項１】
プラントの機器毎に点検作業内容を記載した作業票を作成し、作業担当者が前記作業票に基づいて点検作業を行い、点検作業終了後に前記作業票をプラント運転者に返却するプラントの点検作業方法において、点検作業終了後に点検機器の復旧確認又は試運転等の確認作業を実施する場合に、作業担当者が点検作業終了時に確認作業内容を記載した仮返却票を作成して該仮返却票と共に前記作業票をプラント運転者に仮返却し、作業担当者はプラント運転者から作業用仮返却票を受け取って該作業用仮返却票に基づいて確認作業を行い、確認作業終了時に作業用仮返却票をプラント運転者に返却して点検作業を完了するようにしたプラントの点検作業管理方法。
【請求項２】
前記仮返却票に、仮返却する作業票の番号、確認作業内容及び仮返却期間を記載するようにした請求項１に記載のプラントの点検作業管理方法。
【請求項３】
前記作業票の所定箇所に仮返却票を貼付して保管するようにした請求項１又は２に記載のプラントの点検作業管理方法。
【請求項４】
前記作業票及び仮返却票に基づいて前記点検機器の隔離操作及び隔離復旧操作を行うようにした請求項１乃至３の何れかに記載のプラントの点検作業管理方法。
【請求項５】
前記点検機器の隔離操作時に点検機器に作業タグを取り付け、隔離復旧操作時に作業タグを取り外して仮返却された作業票と共に保管するようにした請求項４に記載のプラントの点検作業管理方法。
【請求項６】
プラントの機器毎に点検作業内容を記載した作業票を作成し、作業担当者が前記作業票に基づいて点検作業を行い、点検作業終了後に前記作業票をプラント運転者に返却するプラントの点検作業方法において、点検作業終了後に点検機器の復旧確認又は試運転等の確認作業を実施する場合に、仮返却する作業票の番号、確認作業内容及び仮返却期間を記入する記入欄を備えた複数枚綴りの帳票からなり、該帳票を前記作業票に添付してプラント運転者に仮返却すると共に、前記複数枚綴りの帳票中の作業用帳票に基づいて確認作業を行うようにしたプラントの点検作業管理方法に使用する仮返却票。
【請求項７】
前記作業票の所定箇所に前記複数枚綴りの帳票中の保管用帳票を貼付して保管するようにした請求項６に記載のプラントの点検作業管理方法に使用する仮返却票。
【発明の詳細な説明】
【技術分野】
【０００１】
本発明は、プラントの機器毎に点検作業内容を記載した作業票を作成して点検作業を管理するプラントの点検作業管理方法及びその方法に使用する仮返却票に関する。
【背景技術】
【０００２】
発電所において機器の点検作業は、作業担当者が作業内容や依頼事項等を記した作業票に基づいて行われている。発電プラントの運転者は、作業票に記載された依頼事項に基づいて点検作業に必要な機器の隔離操作を行い、点検作業が開始される。点検作業中は、複数枚綴りで構成された作業票をプラント運転者と作業担当者に分けて保管し、点検作業終了後に作業担当者保管の作業票をプラント運転者に返却して完了としている。
【０００３】
また、特許文献１には、荷送人に返却する返却票を備えた配送伝票が記載されている。
【特許文献１】特開２０００−１１８１６７号公報
【発明の開示】
【発明が解決しようとする課題】
【０００４】
しかし、点検作業終了後に点検した機器の漏洩確認や試運転等を実施する場合には、直ちに点検作業を完了とすることができないから、作業票はプラント運転者に仮返却され、漏洩確認や試運転の終了まで作業票を保管する必要があった。このとき、プラント運転者は、作業票を仮返却した理由を作業担当者から聞き取り作業票に記載し、機器の漏洩確認や試運転等を実施するためのポンプ水張り・電源投入等の復旧操作を行う必要がある。
【０００５】
例えば、発電プラントの定期検査時等には、多くの点検作業が集中するために、プラント運転者が作業担当者から仮返却の理由を聞き取って作業票に記載していたのでは、作業票の仮返却手続に多大な時間を要すると共に、聞き違いが発生するなどの問題があった。
また、従来、作業票などの帳票類を仮返却するための帳票は存在しなかった。
【課題を解決するための手段】
【０００６】
そこで、本発明は、上記課題を解決するために、プラントの機器毎に点検作業内容を記載した作業票を作成し、作業担当者が前記作業票に基づいて点検作業を行い、点検作業終了後に前記作業票をプラント運転者に返却するプラントの点検作業方法において、点検作業終了後に点検機器の復旧確認又は試運転等の確認作業を実施する場合に、作業担当者が点検作業終了時に確認作業内容を記載した仮返却票を作成して該仮返却票と共に前記作業票をプラント運転者に仮返却し、作業担当者はプラント運転者から作業用仮返却票を受け取って該作業用仮返却票に基づいて確認作業を行い、確認作業終了時に作業用仮返却票をプラント運転者に返却して点検作業を完了するようにしたプラントの点検作業管理方法を提供するものである。
【０００７】
また、本発明は、前記仮返却票に、仮返却する作業票の番号、確認作業内容及び仮返却期間を記載するようにした請求項１に記載のプラントの点検作業管理方法を提供するものである。
【０００８】
また、本発明は、前記作業票の所定箇所に仮返却票を貼付して保管するようにした請求項１又は２に記載のプラントの点検作業管理方法を提供するものである。
【０００９】
また、本発明は、前記作業票及び仮返却票に基づいて前記点検機器の隔離操作及び隔離復旧操作を行うようにした請求項１乃至３の何れかに記載のプラントの点検作業管理方法を提供するものである。
【００１０】
また、本発明は、前記点検機器の隔離操作時に点検機器に作業タグを取り付け、隔離復旧操作時に作業タグを取り外して仮返却された作業票と共に保管するようにした請求項４に記載のプラントの点検作業管理方法を提供するものである。
【００１１】
また、本発明は、プラントの機器毎に点検作業内容を記載した作業票を作成し、作業担当者が前記作業票に基づいて点検作業を行い、点検作業終了後に前記作業票をプラント運転者に返却するプラントの点検作業方法において、点検作業終了後に点検機器の復旧確認又は試運転等の確認作業を実施する場合に、仮返却する作業票の番号、確認作業内容及び仮返却期間を記入する記入欄を備えた複数枚綴りの帳票からなり、該帳票を前記作業票に添付してプラント運転者に仮返却すると共に、前記複数枚綴りの帳票中の作業用帳票に基づいて確認作業を行うようにしたプラントの点検作業管理方法に使用する仮返却票を提供するものである。
【００１２】
また、本発明は、前記作業票の所定箇所に前記複数枚綴りの帳票中の保管用帳票を貼付して保管するようにした請求項６に記載のプラントの点検作業管理方法に使用する仮返却票を提供するものである。
【発明の効果】
【００１３】
本発明に係るプラントの点検作業管理方法によれば、プラントの機器毎に点検作業内容を記載した作業票を作成し、作業担当者が前記作業票に基づいて点検作業を行い、点検作業終了後に前記作業票をプラント運転者に返却するプラントの点検作業方法において、点検作業終了後に点検機器の復旧確認又は試運転等の確認作業を実施する場合に、作業担当者が点検作業終了時に確認作業内容を記載した仮返却票を作成して該仮返却票と共に前記作業票をプラント運転者に仮返却し、作業担当者はプラント運転者から作業用仮返却票を受け取って該作業用仮返却票に基づいて確認作業を行い、確認作業終了時に作業用仮返却票をプラント運転者に返却して点検作業を完了するようにした構成を有することにより、プラント運転者は作業票と共に仮返却される仮返却票によって確認作業内容を把握することができるから、作業担当者からの聞き取り工程が不要になり、作業票の仮返却手続に要する時間を大幅に削減することができると共に、確認作業内容の聞き違いなどを防止することができる。また、プラント運転者は作業用仮返却票の返却により、確認作業まで含めた点検作業の完了を確実に把握することができる効果がある。
【００１４】
また、本発明は、前記仮返却票に、仮返却する作業票の番号、確認作業内容及び仮返却期間を記載するようにした請求項１に記載の構成を有することにより、仮返却票と作業票の対応関係が明確になり、各機器の確認作業内容と共に作業票の仮返却期間も把握することができる効果がある。
【００１５】
また、本発明は、前記作業票の所定箇所に仮返却票を貼付して保管するようにした請求項１又は２に記載の構成を有することにより、仮返却票が貼付された作業票は仮返却中であることが一目で把握でき、作業用仮返却票の返却時まで作業票を確実に保管することができる効果がある。
【００１６】
また、本発明は、前記作業票及び仮返却票に基づいて前記点検機器の隔離操作及び隔離復旧操作を行うようにした請求項１乃至３の何れかに記載の構成を有することにより、点検作業前は作業票に基づいて点検機器の隔離操作を行うことができ、点検作業後は作業票及び仮返却票に基づいて点検機器の確認作業のための隔離復旧操作を行うことができるから、作業票及び仮返却票に基づいて安全且つ確実に点検機器の隔離操作及び隔離復旧操作を行うことができる効果がある。
【００１７】
また、本発明は、前記点検機器の隔離操作時に点検機器に作業タグを取り付け、隔離復旧操作時に作業タグを取り外して仮返却された作業票と共に保管するようにした請求項４に記載の構成を有することにより、作業担当者は作業タグによって隔離中の点検機器を容易に把握することができ、安全且つ迅速に点検作業を行うことができる。また、プラント運転者は作業票と共に保管された作業タグによって点検機器が隔離復旧操作されたことを容易に把握することができる効果がある。
【００１８】
また、本発明に係るプラントの点検作業管理方法に使用する仮返却票によれば、プラントの機器毎に点検作業内容を記載した作業票を作成し、作業担当者が前記作業票に基づいて点検作業を行い、点検作業終了後に前記作業票をプラント運転者に返却するプラントの点検作業方法において、点検作業終了後に点検機器の復旧確認又は試運転等の確認作業を実施する場合に、仮返却する作業票の番号、確認作業内容及び仮返却期間を記入する記入欄を備えた複数枚綴りの帳票からなり、該帳票を前記作業票に添付してプラント運転者に仮返却すると共に、前記複数枚綴りの帳票中の作業用帳票に基づいて確認作業を行うようにした構成を有することにより、プラント運転者は作業票と共に仮返却される仮返却票によって確認作業内容を把握することができるから、作業担当者からの聞き取り工程が不要になり、作業票の仮返却手続に要する時間を大幅に削減することができると共に、確認作業内容の聞き違いなどを防止することができる効果がある。
【００１９】
また、本発明は、前記作業票の所定箇所に前記複数枚綴りの帳票中の保管用帳票を貼付して保管するようにした請求項６に記載の構成を有することにより、仮返却票が貼付された作業票は仮返却中であることが一目で把握でき、仮返却中の作業票を確実に保管することができる効果がある。
【発明を実施するための最良の形態】
【００２０】
本発明の実施の形態を図示する実施例に基づいて説明する。
本発明に係るプラントの点検作業管理方法は、プラントの機器毎に点検作業内容を記載した作業票１０を作成し、作業担当者が前記作業票１０に基づいて点検作業を行い、点検作業終了後に前記作業票１０をプラント運転者に返却するプラントの点検作業において、点検作業終了後に点検機器の復旧確認又は試運転等の確認作業を実施する場合に、作業担当者が点検作業終了時に確認作業内容を記載した仮返却票２０を作成して該仮返却票２０と共に前記作業票１０をプラント運転者に仮返却し、作業担当者はプラント運転者から作業用仮返却票２０を受け取って該作業用仮返却票２０に基づいて確認作業を行い、確認作業終了時に作業用仮返却票２０をプラント運転者に返却して点検作業を完了するようにしてある。
【実施例１】
【００２１】
図２に示すように、作業票１０には、作業票番号記入欄１１、作業名・作業場所・期間・担当者などを記入する一般事項記入欄１２、点検機器記入欄１３、作業内容記入欄１４、依頼事項記入欄１５、仮返却理由記入欄１６及び仮返却票貼付欄１７等を設けてある。作業内容記入欄１４には、作業担当者が実施する点検作業の内容を記載することができるようにしてあり、依頼事項記入欄１５には、機器隔離操作などの作業担当者がプラント運転者に依頼する操作内容を記載することができるように構成してある。
【００２２】
また、作業票１０は複数枚綴りの帳票で構成され、点検作業時には少なくとも作業担当者とプラント運転者が保管することができるようにしてある。図示の実施例において、作業票１０は３部作成され、プラント運転者及び作業担当者である作業責任者と工事監督者が１部ずつ保管するようにしてある。
【００２３】
図３に示すように、仮返却票２０には、仮返却する作業票の番号を記入する作業票番号記入欄２１、確認作業内容を記入する仮返却理由記入欄２２、機器の状態を記入する状態記入欄２３、仮返却期間を記入する仮返却期間記入欄２４、作業担当者やプラント運転者の名前を記入する担当者名記入欄２５及び備考欄２６等を設けてある。
【００２４】
また、仮返却票２０は複数枚綴りの帳票で構成され、確認作業時には作業用帳票を作業担当者が保管し、保管用帳票をプラント運転者が保管することができるようにしてある。図示の実施例において、仮返却票２０は３部作成され、１部を保管用帳票として作業票の仮返却票貼付欄１７に貼付してプラント運転者が保管し、残り２部を作業用帳票として作業担当者である作業責任者と工事監督者が１部ずつ保管するようにしてある。
【００２５】
図示の実施例において、備考欄２６には、封筒の有無を記入することができるように構成してある。点検機器の隔離操作時には該点検機器に作業タグを取り付け、隔離復旧操作時にこの作業タグを取り外して、作業担当者からプラント運転者に仮返却された作業票と共に封筒に入れて保管することができるようにしてある。プラント運転者は、備考欄２６に記入された封筒の有無によって、作業タグ回収の要否を容易に把握することができる。
【００２６】
次に、この作業票１０及び仮返却票２０を用いた発電プラントの点検作業管理方法を図１に基づいて説明する。
作業担当者である作業責任者は、プラントの点検機器毎に点検作業内容を記載した作業票１０を３部作成する。プラント運転者は、作業責任者から作業票１０を全て受け取り、この作業票１０に基づいて点検機器を電力系統から隔離する隔離操作を実施する。このとき、必要箇所には作業タグを取り付ける。
【００２７】
隔離操作が完了すると、プラント運転者は作業票１０の１部を保管し、他の作業票２部を作業担当者である作業責任者と工事監督者に１部ずつ受け渡す。作業責任者及び工事監督者は受け取った作業票１０に基づいて機器の点検作業を行う。点検作業終了後に点検機器の復旧確認又は試運転等の確認作業を実施する場合には、作業責任者が点検作業終了時に確認作業内容を記載した仮返却票２０を３部作成し、この仮返却票２０と共に作業責任者及び工事監督者が保管していた作業票１０をプラント運転者に仮返却する。
【００２８】
プラント運転者は、受け取った仮返却票２０の１部を保管している作業票１０の仮返却票貼付欄１７に貼付し、作業票１０の仮返却理由記入欄１６などに所定事項を記入すると共に、作業票管理システムで「仮返却受付」を入力する。プラント運転者は、作業票１０及び仮返却票２０に基づいて点検機器の隔離復旧操作を実施し、必要な場合には作業タグを取り外して作業担当者から仮返却された作業票２部と共に封筒に入れて保管する。
【００２９】
作業責任者及び工事監督者は、プラント運転者から作業用仮返却票２０を１部ずつ受け取り、この作業用仮返却票２０に基づいて機器の確認作業を行う。確認作業としては、例えば、水張り後の漏洩確認又は電源投入後の試験運転などがある。確認作業が終了すると、作業責任者及び工事監督者は作業用仮返却票２０をプラント運転者に返却する。プラント運転者は、作業用仮返却票２０の返却により、作業票管理システムで「仮返却失効」を入力して点検作業を完了させる。
【図面の簡単な説明】
【００３０】
【図１】本発明に係るプラントの点検作業管理方法の一実施例を示す流れ図。
【図２】その一実施例の作業票を示す図。
【図３】その一実施例の仮返却票を示す図。
【符号の説明】
【００３１】
１０  作業票
１１  作業票番号記入欄
１２  一般事項記入欄
１３  点検機器記入欄
１４  作業内容記入欄
１５  依頼事項記入欄
１６  仮返却理由記入欄
１７  仮返却票貼付欄
２０  仮返却票
２１  作業票番号記入欄
２２  仮返却理由記入欄
２３  状態記入欄
２４  仮返却期間記入欄
２５  担当者名記入欄
２６  備考欄
【図１】
2008265037.tif 000003
【図２】
2008265037.tif 000004
【図３】
2008265037.tif 000005